(57)【要約】医療用管類コネクタが、嵌め合う第２のコネクタに接続するために構成されている第１のコネクタ部分を含む。管係合部分は、第１のコネクタ部分と一体であり、かつそれに対向し、医療用管に接続するために構成される。液体通路が、第１のコネクタ部分および管係合部分を通して延びる。第１のコネクタ部分は、嵌め合う第２のコネクタとの密閉係合のための連続外側表面を含む。環状部分が、オス型コネクタ部分と一体であり、それを包囲する。接続部分が、第１のコネクタ部分を環状部分に接続する。接続部分は、液体が第１のコネクタ部分と環状部分との間にたまりを作ることを防止されるように、不連続的であり、液体が接続部分を通過することを可能にする。
2017528269.tif 000002
【特許請求の範囲】
【請求項１】
医療用管類コネクタであって、前記コネクタは、
嵌め合う第２のコネクタに接続するために構成されている第１のコネクタ部分と、
前記第１のコネクタ部分と一体であり、前記第１のコネクタ部分に対向している管係合部分であって、前記管係合部分は、医療用管に接続するために構成されている、管係合部分と、
前記第１のコネクタ部分および前記管係合部分を通って延びている液体通路であって、前記第１のコネクタ部分は、前記嵌め合う第２のコネクタとの密閉係合のための連続外側表面を含む、液体通路と、
前記第１のコネクタ部分と一体であり、前記第１のコネクタ部分を包囲している環状部分と、
前記第１のコネクタ部分を前記環状部分に接続している接続部分と
を備え、
前記接続部分は、不連続的であり、液体が前記接続部分を通過することを可能にし、それによって、液体は、前記第１のコネクタ部分と前記環状部分との間にたまりを作ることを防止される、コネクタ。
【請求項２】
前記不連続は、前記接続部分の開放エリアを備えている、請求項１に記載のコネクタ。
【請求項３】
前記接続部分の開放エリアは、前記接続部分の少なくとも４０％にわたって延びている、請求項２に記載のコネクタ。
【請求項４】
前記接続部分の開放エリアは、前記接続部分の少なくとも８０％にわたって延びている、請求項３に記載のコネクタ。
【請求項５】
前記接続部分は、前記第１のコネクタ部分と前記環状部分との間に延びている間隔を置かれた接続アームによって画定される、請求項１に記載のコネクタ。
【請求項６】
前記接続部分は、前記第１のコネクタ部分の周囲に円周方向に延びている床部を備え、前記床部は、液体が前記接続部分を通過することを可能にする複数の開口部を画定する、請求項１に記載のコネクタ。
【請求項７】
前記開口部は、前記接続部分の周囲に円周方向に間隔を置かれている、請求項６に記載のコネクタ。
【請求項８】
前記開口部は、前記床部内の円形孔を備えている、請求項６に記載のコネクタ。
【請求項９】
前記開口部は、前記床部内の長円スロットを備えている、請求項６に記載のコネクタ。
【請求項１０】
前記スロットは、少なくとも部分的に前記環状部分に沿って延びている、請求項９に記載のコネクタ。
【請求項１１】
前記環状部分は、前記嵌め合う第２のコネクタ上のねじ山と嵌め合うためのねじ山付き内側表面を備えている、請求項１に記載のコネクタ。
【請求項１２】
前記コネクタは、小口径コネクタを備えている、請求項１に記載のコネクタ。
【請求項１３】
前記第１のコネクタ部分、前記管係合部分、および前記環状部分は、一体の材料として形成されている、請求項１に記載のコネクタ。
【請求項１４】
前記第１のコネクタ部分は、前記第１のコネクタ部分が前記第１のコネクタ部分の外側表面内に任意のチャネルまたは溝がないように、連続的である、請求項１に記載のコネクタ。
【請求項１５】
オス型経腸栄養コネクタであって、前記コネクタは、
メス型経腸栄養コネクタに接続するために構成されている第１のコネクタ部分と、
前記第１のコネクタ部分と一体であり、前記第１のコネクタ部分に対向している管係合部分であって、前記管係合部分は、経腸栄養流体を患者に送達するための経腸栄養管に接続するために構成されている、管係合部分と、
前記第１のコネクタ部分および前記管係合部分を通って延びている液体通路であって、前記第１のコネクタ部分は、前記メス型経腸栄養コネクタとの密閉係合のための連続外側表面を含む、液体通路と、
前記第１のコネクタ部分と一体であり、前記第１のコネクタ部分を包囲している環状部分と、
前記第１のコネクタ部分を前記環状部分に接続している接続部分と
を備え、
前記接続部分は、不連続的であり、液体が前記接続部分を通過することを可能にし、それによって、液体は、前記第１のコネクタ部分と前記環状部分との間にたまりを作ることを防止される、コネクタ。
【請求項１６】
前記接続部分の不連続は、前記接続部分の開放エリアを備えている、請求項１５に記載のコネクタ。
【請求項１７】
前記接続部分は、前記第１のコネクタ部分と前記環状部分との間に延びている間隔を置かれた接続アームによって画定される、請求項１５に記載のコネクタ。
【請求項１８】
前記接続部分は、前記第１のコネクタ部分の周囲に円周方向に延びている床部を備え、前記床部は、液体が前記接続部分を通過することを可能にする複数の開口部を画定する、請求項１５に記載のコネクタ。
【請求項１９】
前記メス型経腸栄養コネクタと組み合わせられた請求項１５に記載のコネクタ。
【請求項２０】
経腸栄養コネクタであって、前記コネクタは、
嵌め合う第２のコネクタに接続するために構成されている第１のコネクタ部分と、
前記第１のコネクタ部分と一体であり、前記第１のコネクタ部分に対向している管係合部分であって、前記管係合部分は、医療用管に接続するために構成されている、管係合部分と、
前記第１のコネクタ部分および前記管係合部分を通って延びている液体通路であって、前記第１のコネクタ部分は、前記嵌め合う第２のコネクタとの密閉係合のための連続外側表面を含む、液体通路と、
前記第１のコネクタ部分と一体であり、前記第１のコネクタ部分を包囲している環状部分と、
前記第１のコネクタ部分を前記環状部分に接続している接続部分と
前記第１のコネクタ部分と前記環状部分との間のドレインであって、前記ドレインは、流体が前記第１のコネクタ部分と前記環状部分との間にたまりを作ることを防止する、ドレインと
を備えている、コネクタ。
【発明の詳細な説明】
【技術分野】
【０００１】
本開示は、概して、経腸栄養コネクタに関し、より具体的には、流体ドレインを含む、小口径経腸栄養コネクタに関する。
【背景技術】
【０００２】
医療環境では、多くのデバイスは、経腸栄養ポンプおよび経腸栄養ラインを含め、デバイス間またはデバイスと患者との間に流体接続を提供するために、手動接続のために適合された管類を有する。これらのデバイスの各々は、ユーザまたは施術者がともに接続し得る、１以上のコネクタを含む。
【０００３】
図１は、従来技術の従来の経腸栄養コネクタアセンブリを示し、保健医療用途において経腸流体ラインを接続することにおいて使用するために互いに接続されるように構成される、オス型経腸栄養小口径コネクタ１と、メス型経腸栄養小口径コネクタ３とを含む。経腸栄養コネクタ１、３は、流体ライン内の流体をコネクタを通して延びる流体通路５を通して送達する。流体は、典型的には、メス型コネクタ３からオス型コネクタ１に送達される。オス型経腸栄養小口径コネクタ１は、オス型コネクタとメス型コネクタをねじ式で接続するためにメス型コネクタ３と係合するオス型コネクタの端部に位置するウェル７を含む。このタイプの経腸栄養コネクタに関する問題は、流体がコネクタを通して送達された後、メス型コネクタ３がオス型コネクタ１から分離されると、流体がオス型コネクタのウェル７内に集中し得ることである。この露出した流体は、周囲環境によって汚染され得る。コネクタ１、３が、続いて、再接続されると（図２）、汚染された流体は、コネクタの流体通路５の中に押し進められ、患者に送達され得る。
【発明の概要】
【課題を解決するための手段】
【０００４】
一側面では、医療用管類コネクタは、概して、嵌め合う第２のコネクタに接続するために構成されている第１のコネクタ部分を備えている。管係合部分は、第１のコネクタ部分と一体であり、かつそれに対向し、医療用管に接続するために構成される。液体通路が、第１のコネクタ部分および管係合部分を通して延びる。第１のコネクタ部分は、嵌め合う第２のコネクタとの密閉係合のための連続外側表面を含む。環状部分が、第１のコネクタ部分と一体であり、それを包囲する。接続部分が、第１のコネクタ部分を環状部分に接続する。接続部分は、液体が第１のコネクタ部分と環状部分との間にたまりを作ることを防止されるように、不連続的であり、液体が接続部分を通過することを可能にする。
【０００５】
いくつかの実施形態では、不連続は、接続部分の開放エリアを備えている。
【０００６】
ある実施形態では、接続部分の開放エリアは、接続部分の少なくとも４０％にわたって延びる。
【０００７】
いくつかの実施形態では、接続部分の開放エリアは、接続部分の少なくとも８０％にわたって延びる。
【０００８】
ある実施形態では、接続部分は、第１のコネクタ部分と環状部分との間に延びている間隔を置かれた接続アームによって画定される。
【０００９】
いくつかの実施形態では、接続部分は、第１のコネクタ部分の周囲に円周方向に延びている床部を備え、床部は、液体が接続部分を通過することを可能にする複数の開口部を画定する。
【００１０】
ある実施形態では、開口部は、接続部分の周囲に円周方向に間隔を置かれる。
【００１１】
いくつかの実施形態では、開口部は、床部内の円形孔を備えている。
【００１２】
ある実施形態では、開口部は、床部内の長円スロットを備えている。
【００１３】
いくつかの実施形態では、スロットは、少なくとも部分的に、環状部分に沿って延びる。
【００１４】
ある実施形態では、環状部分は、嵌め合う第２のコネクタ上のねじ山と嵌め合うためのねじ山付き内側表面を備えている。
【００１５】
いくつかの実施形態では、コネクタは、小口径コネクタを備えている。
【００１６】
ある実施形態では、第１のコネクタ部分、管係合部分、および環状部分は、一体の材料として形成される。
【００１７】
いくつかの実施形態では、第１のコネクタ部分が第１のコネクタ部分の外側表面内に任意のチャネルまたは溝がないように、連続的である。
【００１８】
別の側面では、オス型経腸栄養コネクタは、概して、メス型経腸栄養コネクタに接続するために構成されている第１のコネクタ部分を備えている。管係合部分が、第１のコネクタ部分と一体であり、かつそれに対向し、経腸栄養流体を患者に送達するための経腸栄養管に接続するために構成される。液体通路が、第１のコネクタ部分および管係合部分を通して延びる。第１のコネクタ部分は、メス型経腸栄養コネクタとの密閉係合のための連続外側表面を含む。環状部分が、第１のコネクタ部分と一体であり、それを包囲する。接続部分が、第１のコネクタ部分を環状部分に接続する。接続部分は、液体が第１のコネクタ部分と環状部分との間にたまりを作ることを防止されるように、不連続的であり、液体が接続部分を通過することを可能にする。
【００１９】
ある実施形態では、接続部分の不連続は、接続部分の開放エリアを備えている。
【００２０】
いくつかの実施形態では、接続部分は、第１のコネクタ部分と環状部分との間に延びている間隔を置かれた接続アームによって画定される。
【００２１】
ある実施形態では、接続部分は、第１のコネクタ部分の周囲に円周方向に延びている床部を備え、床部は、液体が接続部分を通過することを可能にする複数の開口部を画定する。
【００２２】
いくつかの実施形態では、開口部は、接続部分の周囲に円周方向に間隔を置かれる。
【００２３】
ある実施形態では、コネクタは、小口径コネクタを備えている。
【００２４】
いくつかの実施形態では、第１のコネクタ部分、管係合部分、および環状部分は、一体の材料として形成される。
【００２５】
ある実施形態では、オス型経腸栄養コネクタは、メス型経腸栄養コネクタと組み合わせられる。
【００２６】
いくつかの実施形態では、第１のコネクタ部分が第１のコネクタ部分の外側表面内に任意のチャネルまたは溝がないように、連続的である。
【００２７】
別の側面では、経腸栄養コネクタは、概して、嵌め合う第２のコネクタに接続するために構成されている第１のコネクタ部分を備えている。管係合部分が、第１のコネクタ部分と一体であり、かつそれに対向し、医療用管に接続するために構成される。液体通路が、第１のコネクタ部分および管係合部分を通して延びる。第１のコネクタ部分は、嵌め合う第２のコネクタとの密閉係合のための連続外側表面を含む。環状部分が、第１のコネクタ部分と一体であり、それを包囲する。接続部分が、第１のコネクタ部分を環状部分に接続する。第１のコネクタ部分と環状部分との間のドレイン流体が第１のコネクタ部分と環状部分との間にたまりを作ることを防止する。
【００２８】
他の目的および特徴は、以降で部分的に明白および部分的に指摘されるであろう。
【図面の簡単な説明】
【００２９】
【図１】図１は、切断構成における従来技術の経腸栄養接続アセンブリの断面図であり、アセンブリ内のウェルにおける流体集中を図示する。
【図２】図２は、接続構成における図１の従来技術の経腸栄養接続アセンブリの断面図である。
【図３】図３は、経腸栄養コネクタアセンブリの斜視図である。
【図４】図４は、図３のアセンブリのオス型経腸栄養コネクタの斜視図である。
【図５】図５は、図４のオス型経腸栄養コネクタの正面端面図である。
【図６】図６は、図４のオス型経腸栄養コネクタの背面端面図である。
【図７】図７は、図３のアセンブリのメス型経腸栄養コネクタの拡大斜視図である。
【図８Ａ】図８Ａは、メス型経腸栄養コネクタから切断されたオス型経腸栄養コネクタの断面図である。
【図８Ｂ】図８Ｂは、メス型経腸栄養コネクタに接続されたオス型経腸栄養コネクタの断面図である。
【図９】図９は、別のオス型経腸栄養コネクタの斜視図である。
【図１０】図１０は、図９のオス型経腸栄養コネクタの正面端面図である。
【図１１】図１１は、図９のオス型経腸栄養コネクタの背面端面図である。
【図１２】図１２は、別のオス型経腸栄養コネクタの斜視図である。
【図１３】図１３は、図１２のオス型経腸栄養コネクタの正面端面図である。
【図１４】図１４は、図１２のオス型経腸栄養コネクタの背面端面図である。
【発明を実施するための形態】
【００３０】
対応する参照文字は、図面全体を通して対応する部品を示す。
【００３１】
ここで図３を参照すると、経腸栄養コネクタアセンブリが、概して、１１に示される。アセンブリは、オス型経腸栄養小口径コネクタ１３と、オス型経腸栄養小口径コネクタに接続するように構成されるメス型経腸栄養小口径コネクタ１５とを備えている。オス型経腸栄養小口径コネクタ１３は、オス型経腸栄養小口径コネクタの管接続端部１７において、患者とインターフェースをとる管類（図示せず）に接続し、オス型経腸栄養小口径コネクタのコネクタ端部１９において、メス型経腸栄養小口径コネクタ１５に接続するように構成され得る。メス型経腸栄養小口径コネクタ１５は、メス型経腸栄養小口径コネクタのコネクタ端部２１において、オス型経腸栄養小口径コネクタ１３に接続し、メス型経腸栄養小口径コネクタの管接続端部２３において、流体源（例えば、栄養バッグ）からの管類（図示せず）に接続するように構成され得る。オス型経腸栄養小口径コネクタ１３は、以下により詳細に説明されるように、ドレイン２５を含み、流体がコネクタから排出されることを可能にし得る。
【００３２】
経腸栄養コネクタ１３、１５のコネクタ端部１９、２１は、任意の他の小口径コネクタと不適合であるように、特異なコネクタであり得る。他のタイプの経腸栄養コネクタも使用されることができることも想定される。例えば、ルアー型経腸栄養コネクタも、本開示の範囲内である。
【００３３】
図４−６を参照すると、オス型経腸栄養小口径コネクタ１３は、コネクタ端部１９と、管接続端部１７と、コネクタ端部から管接続端部にコネクタ本体を通して延びる流体通路３３とを含むコネクタ本体３１を備え得る。コネクタ本体３１のコネクタ端部１９は、流体通路３３の一部を画定するオス型コネクタ部分３５と、オス型コネクタ部分を包囲する環状部分３７と、環状部分をオス型コネクタ部分に接続する接続部分３９とを備え得る。オス型コネクタ部分３５の外側表面４１は、メス型経腸栄養小口径コネクタ１５（図７および８Ｂ）のコネクタ端部２１の内側表面４３との密閉係合のために構成され得る。例えば、オス型コネクタ部分３５の外側表面４１は、オス型コネクタ部分がオス型コネクタ部分の外側表面内に任意のチャネルまたは溝がないように、連続外形を有し得る。環状部分３７の内側表面４５は、オス型経腸栄養小口径コネクタ１３とメス型経腸栄養小口径コネクタをしっかりと係合するために、メス型コネクタ１５のコネクタ端部２１の外側表面５１上のねじ山４９に係合するためのねじ山４７を含み得る。オス型およびメス型経腸栄養小口径コネクタ１３、１５の接続は、オス型コネクタ内の流体通路３３とメス型コネクタ内の流体通路５３との間の流体連通を確立する。
【００３４】
接続部分３９は、オス型コネクタ部分３５と環状部分３７との間に延びる、一対の間隔を置かれた接続アーム５５を備え得る。接続アーム５５の両側の一対の弧状開口部５７は、環状部分３７の内部空間５９と連通し、オス型コネクタ部分３５の周囲かつ接続部分３９を越えて二次通路を作成し得る。図示される実施形態では、開口部５７は、流体が、オス型コネクタ１３の構造によって妨害されずに、直接、接続部分３９を通して、環状部分３７の内部空間５９から通過することを可能にする。したがって、流体がコネクタを通して送達された後、メス型コネクタ１５がオス型コネクタ１３から分離されても、実質的量の流体が環状部分３７の内部空間５９内に集中することができない（図８Ａ）。代わりに、開口部５７は、流体が接続部分３９を通過することを可能にし、流体がたまりを作り、潜在的に、汚染されることを防止する。したがって、コネクタ１３、１５が再接続されると（図８Ｂ）、環状部分３７の内部空間５９内に全くまたは非常にわずかしか流体が存在せず、その結果、流体が環状部分の内部空間から流体通路３３、５３の中に押し進められ、患者に送達されることはない。
【００３５】
間隔を置かれた接続アーム５５は、接続部分３９内に不連続を形成し、流体が接続部分を通過するための開放エリアを提供する。図示される実施形態では、不連続は、接続部分３９の約８０％にわたって延びる。不連続は、オス型コネクタ部分３５の周囲に円周方向に接続アーム５５の両側から延びる、開放空間によって画定されることができる。接続部分３９の不連続は、接続アーム５５が円周方向に延びる程度および／または接続アームの数に応じて、８０％を上回るまたはそれを下回り得る。例えば、１つ以上の実施形態では、不連続は、４０％を上回ることができる。
【００３６】
図９−１１を参照すると、オス型経腸栄養小口径コネクタ１１３は、コネクタ端部１１９と、管接続端部１１７と、コネクタ端部から管接続端部にコネクタ本体を通って延びる流体通路１３３とを含むコネクタ本体１３１を備え得る。コネクタ本体１３１のコネクタ端部１１９は、流体通路１３３の一部を画定するオス型コネクタ部分１３５（図１０）と、オス型コネクタ部分を包囲する環状部分１３７と、環状部分をオス型コネクタ部分に接続する接続部分１３９とを備え得る。オス型コネクタ部分１３５の外側表面１４１は、メス型経腸栄養小口径コネクタ１５（図７）のコネクタ端部２１の内側表面４３との密閉係合のために構成され得る。例えば、オス型コネクタ部分１３５の外側表面１４１は、オス型コネクタ部分がオス型コネクタ部分の外側表面内に任意のチャネルまたは溝がないように、連続外形を有し得る。環状部分１３７の内側表面１４５は、オス型経腸栄養小口径コネクタ１１３とメス型経腸栄養小口径コネクタをしかりと係合するために、メス型コネクタ１５のコネクタ端部の外側表面５１上のねじ山４９に係合するためのねじ山１４７を含み得る。オス型およびメス型経腸栄養小口径コネクタ１１３、１５の接続は、オス型コネクタ内の流体通路１３３とメス型コネクタ内の流体通路５３との間の流体連通を確立する。
【００３７】
接続部分１３９は、オス型コネクタ部分と環状部分１３７との間のオス型コネクタ部分１３５の周囲に円周方向に延びる環状床部１５５を備え得る。床部１５５を通して延びる複数の開口部１５７は、環状部分１３７の内部空間１５９と連通し、オス型コネクタ部分１３５の周囲かつ接続部分１３９を越えて二次通路を作成し得る。開口部１５７は、接続部分１３９の周囲に円周方向に間隔を置かれた円形孔を備え得る。他の開口部形状も、想定される。隣接する開口部１５７は、互いから約４５度の角度αだけ間隔を置かれ得る（図１１）。他の間隔の程度も、想定される。
【００３８】
図示される実施形態では、開口部１５７は、流体が、環状部分１３７の内部空間１５９から接続部分１３９を通過することを可能にする。したがって、流体がコネクタを通して送達された後、メス型コネクタ１５がオス型コネクタ１１３から分離された場合、実質的量の流体が、環状部分１３７の内部空間１５９内に集中することができない。代わりに、開口部１５７は、流体が接続部分１３９を通過することを可能にし、流体がたまりを作り、潜在的に、汚染されることを防止する。したがって、コネクタ１１３、１５が再接続された場合、環状部分１３７の内部空間１５９内に全くまたは非常にわずかしか流体が存在せず、その結果、流体が環状部分の内部空間から流体通路１３３、５３の中に押し進められ、患者に送達されることはない。
【００３９】
床部１５５内の開口部１５７は、接続部分１３９内に不連続を形成し、流体が接続部分を通過するための開放エリアを提供する。図示される実施形態では、不連続は、接続部分１３９の約３５％にわたって延びる。不連続は、開口部１５７によって形成される開放空間によって画定されることができる。接続部分１３９の不連続は、開口部１５７のサイズおよび／または数に応じて、３５％を上回るかまたはそれを下回り得る。
【００４０】
図１２−１４を参照すると、オス型経腸栄養小口径コネクタ２１３は、コネクタ端部２１９と、管接続端部２１７と、コネクタ端部から管接続端部にコネクタ本体を通して延びる流体通路２３３とを含むコネクタ本体２３１を備え得る。コネクタ本体２３１のコネクタ端部２１９は、流体通路２３３の一部を画定するオス型コネクタ部分２３５と、オス型コネクタ部分を包囲する環状部分２３７と、環状部分をオス型コネクタ部分に接続する接続部分２３９とを備え得る。オス型コネクタ部分２３５の外側表面２４１は、メス型経腸栄養小口径コネクタ１５（図７）のコネクタ端部２１の内側表面４３との密閉係合のために構成され得る。例えば、オス型コネクタ部分２３５の外側表面２４１は、オス型コネクタ部分がオス型コネクタ部分の外側表面内に任意のチャネルまたは溝がないように、連続外形を有し得る。環状部分２３７の内側表面２４５は、オス型経腸栄養小口径コネクタとメス型経腸栄養小口径コネクタをしっかりと係合するために、メス型コネクタ１５のコネクタ端部の外側表面５１上のねじ山４９に係合するためのねじ山２４７を含み得る。オス型およびメス型経腸栄養小口径コネクタ２１３、１５の接続は、オス型コネクタ内の流体通路２３３とメス型コネクタ内の流体通路５３との間の流体連通を確立する。
【００４１】
接続部分２３９は、オス型コネクタ部分と環状部分２３７との間のオス型コネクタ部分２３５の周囲に円周方向に延びる、環状床部２５５を備え得る。床部２５５を通して延びる複数のスロット２５７は、環状部分２３７の内部空間２５９と連通し、オス型コネクタ部分２３５の周囲かつ接続部分２３９を越えて二次通路を作成し得る。スロット２５７は、接続部分２３９の周囲に円周方向に間隔を置かれ、接続部分に沿って半径方向に延びる、長円孔から成り得る。各スロット２５７の一部はまた、コネクタ部分２３９から環状部分２３７に沿って縦方向に継続的に延び、スロットの総開放エリアを増加させ得る。他のスロット構成も、想定される。隣接するスロット２５７は、互いから約４５度の角度βだけ間隔を置かれ得る（図１４）。他の間隔の程度も、想定される。
【００４２】
図示される実施形態では、スロット２５７は、流体が、環状部分２３７の内部空間２５９から接続部分２３９および環状部分２３７を通過することを可能にする。したがって、流体がコネクタを通して送達された後、メス型コネクタ１５がオス型コネクタ２１３から分離された場合、実質的量の流体が、環状部分２３７の内部空間２５９内に集中することができない。代わりに、スロット２５７は、流体が接続部分２３９および環状部分２３７を通過することを可能にし、流体がたまりを作り、潜在的に、汚染されることを防止する。したがって、コネクタ２１３、１５が再接続された場合、環状部分２３７の内部空間２５９内に全くまたは非常にわずかしか流体が存在せず、その結果、流体が環状部分の内部空間から流体通路２３３、５３の中に押し進められ、患者に送達されることはない。
【００４３】
床部２５５内のスロット２５７は、接続部分２３９内に不連続を形成し、流体が接続部分を通過するための開放エリアを提供する。図示される実施形態では、不連続は、接続部分２３９の約３５％にわたって延びる。不連続は、スロット２５７によって形成される開放空間によって画定されることができる。接続部分２３９の不連続は、スロット２５７のサイズおよび／または数に応じて、３５％を上回るかまたはそれを下回り得る。
【００４４】
要素または好ましい実施形態を紹介するとき、冠詞「ａ」、「ａｎ」、「ｔｈｅ」、および「ｓａｉｄ（該）」は、要素のうちの１以上のものが存在することを意味するように意図される。用語「ｃｏｍｐｒｉｓｉｎｇ（〜を備えている）」、「ｉｎｃｌｕｄｉｎｇ（〜を含む）」および「ｈａｖｉｎｇ（〜を有する）」は、包含であり、列挙された要素以外の付加的要素も存在し得ることを意味するように意図される。
【００４５】
前述に照らして、いくつかの技術的効果が達成され、他の有利な結果も得られることが分かるであろう。
【００４６】
種々の変更が前述の構造および方法に行われ得るため、前述の説明に含まれ、付随の図面に示される、あらゆる事項は、例証として解釈され、限定的意味ではないことが意図される。
【図１】
2017528269.tif 000003
【図２】
2017528269.tif 000004
【図３】
2017528269.tif 000005
【図４】
2017528269.tif 000006
【図５】
2017528269.tif 000007
【図６】
2017528269.tif 000008
【図７】
2017528269.tif 000009
【図８Ａ】
2017528269.tif 000010
【図８Ｂ】
2017528269.tif 000011
【図９】
2017528269.tif 000012
【図１０】
2017528269.tif 000013
【図１１】
2017528269.tif 000014
【図１２】
2017528269.tif 000015
【図１３】
2017528269.tif 000016
【図１４】
2017528269.tif 000017
【手続補正書】
【提出日】平成29年5月24日(2017.5.24)
【手続補正１】
【補正対象書類名】特許請求の範囲
【補正対象項目名】全文
【補正方法】変更
【補正の内容】
【特許請求の範囲】
【請求項１】
医療用管類コネクタであって、前記コネクタは、
嵌め合う第２のコネクタに接続するために構成されている第１のコネクタ部分と、
前記第１のコネクタ部分と一体であり、前記第１のコネクタ部分に対向している管係合部分であって、前記管係合部分は、医療用管に接続するために構成されている、管係合部分と、
前記第１のコネクタ部分および前記管係合部分を通って延びている液体通路であって、前記第１のコネクタ部分は、前記嵌め合う第２のコネクタとの密閉係合のための連続外側表面を含む、液体通路と、
前記第１のコネクタ部分と一体であり、前記第１のコネクタ部分を包囲している環状部分と、
前記第１のコネクタ部分を前記環状部分に接続している接続部分と
を備え、
前記接続部分は、不連続的であり、液体が前記接続部分を通過することを可能にし、それによって、液体は、前記第１のコネクタ部分と前記環状部分との間にたまりを作ることを防止され、前記第１のコネクタ部分は、前記第１のコネクタ部分が前記第１のコネクタ部分の外側表面内に任意のチャネルまたは溝がないように、連続的である、コネクタ。
【請求項２】
前記不連続は、前記接続部分の開放エリアを備えている、請求項１に記載のコネクタ。
【請求項３】
前記接続部分の開放エリアは、前記接続部分の少なくとも４０％にわたって延びている、請求項２に記載のコネクタ。
【請求項４】
前記接続部分の開放エリアは、前記接続部分の少なくとも８０％にわたって延びている、請求項３に記載のコネクタ。
【請求項５】
前記接続部分は、前記第１のコネクタ部分と前記環状部分との間に延びている間隔を置かれた接続アームによって画定される、請求項１に記載のコネクタ。
【請求項６】
前記接続部分は、前記第１のコネクタ部分の周囲に円周方向に延びている床部を備え、前記床部は、液体が前記接続部分を通過することを可能にする複数の開口部を画定する、請求項１に記載のコネクタ。
【請求項７】
前記開口部は、前記接続部分の周囲に円周方向に間隔を置かれている、請求項６に記載のコネクタ。
【請求項８】
前記開口部は、前記床部内の円形孔を備えている、請求項６に記載のコネクタ。
【請求項９】
前記開口部は、前記床部内の長円スロットを備えている、請求項６に記載のコネクタ。
【請求項１０】
前記スロットは、少なくとも部分的に前記環状部分に沿って延びている、請求項９に記載のコネクタ。
【請求項１１】
前記環状部分は、前記嵌め合う第２のコネクタ上のねじ山と嵌め合うためのねじ山付き内側表面を備えている、請求項１に記載のコネクタ。
【請求項１２】
前記コネクタは、小口径コネクタを備えている、請求項１に記載のコネクタ。
【請求項１３】
前記第１のコネクタ部分、前記管係合部分、および前記環状部分は、一体の材料として形成されている、請求項１に記載のコネクタ。
【請求項１４】
前記コネクタは、メス型経腸栄養コネクタに接続するために構成されているオス型経腸栄養コネクタである、請求項１に記載のコネクタ。
【請求項１５】
前記メス型経腸栄養コネクタと組み合わせられた請求項１４に記載のコネクタ。
【手続補正２】
【補正対象書類名】明細書
【補正対象項目名】００２８
【補正方法】変更
【補正の内容】
【００２８】
他の目的および特徴は、以降で部分的に明白および部分的に指摘されるであろう。
本発明はさらに、例えば、以下を提供する。
（項目１）
医療用管類コネクタであって、前記コネクタは、
嵌め合う第２のコネクタに接続するために構成されている第１のコネクタ部分と、
前記第１のコネクタ部分と一体であり、前記第１のコネクタ部分に対向している管係合部分であって、前記管係合部分は、医療用管に接続するために構成されている、管係合部分と、
前記第１のコネクタ部分および前記管係合部分を通って延びている液体通路であって、前記第１のコネクタ部分は、前記嵌め合う第２のコネクタとの密閉係合のための連続外側表面を含む、液体通路と、
前記第１のコネクタ部分と一体であり、前記第１のコネクタ部分を包囲している環状部分と、
前記第１のコネクタ部分を前記環状部分に接続している接続部分と
を備え、
前記接続部分は、不連続的であり、液体が前記接続部分を通過することを可能にし、それによって、液体は、前記第１のコネクタ部分と前記環状部分との間にたまりを作ることを防止される、コネクタ。
（項目２）
前記不連続は、前記接続部分の開放エリアを備えている、項目１に記載のコネクタ。
（項目３）
前記接続部分の開放エリアは、前記接続部分の少なくとも４０％にわたって延びている、項目２に記載のコネクタ。
（項目４）
前記接続部分の開放エリアは、前記接続部分の少なくとも８０％にわたって延びている、項目３に記載のコネクタ。
（項目５）
前記接続部分は、前記第１のコネクタ部分と前記環状部分との間に延びている間隔を置かれた接続アームによって画定される、項目１に記載のコネクタ。
（項目６）
前記接続部分は、前記第１のコネクタ部分の周囲に円周方向に延びている床部を備え、前記床部は、液体が前記接続部分を通過することを可能にする複数の開口部を画定する、項目１に記載のコネクタ。
（項目７）
前記開口部は、前記接続部分の周囲に円周方向に間隔を置かれている、項目６に記載のコネクタ。
（項目８）
前記開口部は、前記床部内の円形孔を備えている、項目６に記載のコネクタ。
（項目９）
前記開口部は、前記床部内の長円スロットを備えている、項目６に記載のコネクタ。
（項目１０）
前記スロットは、少なくとも部分的に前記環状部分に沿って延びている、項目９に記載のコネクタ。
（項目１１）
前記環状部分は、前記嵌め合う第２のコネクタ上のねじ山と嵌め合うためのねじ山付き内側表面を備えている、項目１に記載のコネクタ。
（項目１２）
前記コネクタは、小口径コネクタを備えている、項目１に記載のコネクタ。
（項目１３）
前記第１のコネクタ部分、前記管係合部分、および前記環状部分は、一体の材料として形成されている、項目１に記載のコネクタ。
（項目１４）
前記第１のコネクタ部分は、前記第１のコネクタ部分が前記第１のコネクタ部分の外側表面内に任意のチャネルまたは溝がないように、連続的である、項目１に記載のコネクタ。
（項目１５）
オス型経腸栄養コネクタであって、前記コネクタは、
メス型経腸栄養コネクタに接続するために構成されている第１のコネクタ部分と、
前記第１のコネクタ部分と一体であり、前記第１のコネクタ部分に対向している管係合部分であって、前記管係合部分は、経腸栄養流体を患者に送達するための経腸栄養管に接続するために構成されている、管係合部分と、
前記第１のコネクタ部分および前記管係合部分を通って延びている液体通路であって、前記第１のコネクタ部分は、前記メス型経腸栄養コネクタとの密閉係合のための連続外側表面を含む、液体通路と、
前記第１のコネクタ部分と一体であり、前記第１のコネクタ部分を包囲している環状部分と、
前記第１のコネクタ部分を前記環状部分に接続している接続部分と
を備え、
前記接続部分は、不連続的であり、液体が前記接続部分を通過することを可能にし、それによって、液体は、前記第１のコネクタ部分と前記環状部分との間にたまりを作ることを防止される、コネクタ。
（項目１６）
前記接続部分の不連続は、前記接続部分の開放エリアを備えている、項目１５に記載のコネクタ。
（項目１７）
前記接続部分は、前記第１のコネクタ部分と前記環状部分との間に延びている間隔を置かれた接続アームによって画定される、項目１５に記載のコネクタ。
（項目１８）
前記接続部分は、前記第１のコネクタ部分の周囲に円周方向に延びている床部を備え、前記床部は、液体が前記接続部分を通過することを可能にする複数の開口部を画定する、項目１５に記載のコネクタ。
（項目１９）
前記メス型経腸栄養コネクタと組み合わせられた項目１５に記載のコネクタ。
（項目２０）
経腸栄養コネクタであって、前記コネクタは、
嵌め合う第２のコネクタに接続するために構成されている第１のコネクタ部分と、
前記第１のコネクタ部分と一体であり、前記第１のコネクタ部分に対向している管係合部分であって、前記管係合部分は、医療用管に接続するために構成されている、管係合部分と、
前記第１のコネクタ部分および前記管係合部分を通って延びている液体通路であって、前記第１のコネクタ部分は、前記嵌め合う第２のコネクタとの密閉係合のための連続外側表面を含む、液体通路と、
前記第１のコネクタ部分と一体であり、前記第１のコネクタ部分を包囲している環状部分と、
前記第１のコネクタ部分を前記環状部分に接続している接続部分と
前記第１のコネクタ部分と前記環状部分との間のドレインであって、前記ドレインは、流体が前記第１のコネクタ部分と前記環状部分との間にたまりを作ることを防止する、ドレインと
を備えている、コネクタ。
【国際調査報告】
2017528269.tif 000018
2017528269.tif 000019
2017528269.tif 000020